(57)【要約】【課題】マイクロコンピュータからなる制御手段を用いて制御可能にした、電気機器の制御装置において、より安全性に優れた電気機器を実現する。【解決手段】制御手段８７は、電気機器の運転が終了した場合もしくは使用者の操作により通電手段５０による導通状態を解除するために電源リレー５１への通電を停止すると同時または所定時間経過した後に、ラッチングリレー５３のオフ用コイルを通電したものであり、輸送時や動作中の振動やノイズなどの外部からの要因により、ラッチングリレー５３が導通状態になっていたとしても、電気機器への通電を遮断することができる。【選択図】図２
2015023900.tif 000002
【特許請求の範囲】
【請求項１】
商用電源から電源の供給が行われ、電気機器の動作状態を逐次制御するマイクロコンピュータを有した制御手段と、前記商用電源と前記制御手段との間に設けられた通電手段とを備え、前記通電手段は電源入りスイッチと前記電源入りスイッチと並列に接続されコイルの通電により導通状態が形成され、コイルへの通電がなくなると導通状態を解除する第１のリレーと、前記電源入りスイッチに並列に接続されオン用コイルの通電により導通状態を形成しかつ導通以後は前記オン用コイルを停止しても導通状態を保持し、オフ用コイルが通電されると導通状態を解除する第２のリレーとから構成され、前記制御手段は、電気機器の運転が終了した場合もしくは使用者の操作により前記通電手段による導通状態を解除するために前記第１のリレーへの通電を停止すると同時または所定時間経過した後に、前記第２のリレーのオフ用コイルを通電することを特徴とする電気機器の制御装置。
【請求項２】
前記制御手段は、電気機器の運転が終了した場合や使用者の操作により前記通電手段による導通状態を解除するために前記第１のリレーへの通電を停止すると同時または所定時間経過した後に、前記第２のリレーのオフ用コイルへの通電を複数回行うことを特徴とする請求項１に記載の電気機器の制御装置。
【請求項３】
前記制御手段は、前記商用電源の入力に基づいて生成される信号を検知するゼロクロス検知手段と、電気機器の異常状態を報知する報知手段とを備え、電気機器の運転が終了した場合もしくは使用者の操作により前記通電手段による導通状態を解除するために前記第１のリレーへの通電を停止すると同時または所定時間経過した後に、前記第２のリレーのオフ用コイルを通電しても前記ゼロクロス検知手段がゼロクロスを検出した場合に、前記報知手段により報知することを特徴とする請求項１または２に記載の電気機器の制御装置。
【発明の詳細な説明】
【技術分野】
【０００１】
本発明はマイクロコンピュータからなる制御手段を用いて制御可能にした、洗濯機、洗濯乾燥機、衣類乾燥機、食器洗い機などの電気機器の制御装置に関するものである。
【背景技術】
【０００２】
従来、停電から復電した際に自動的に再運転する機能を有した電気機器としての洗濯機では、洗濯運転の進行状況や運転内容を予め決められたタイミングで不揮発性メモリに記憶し、洗濯運転が通常に終了した時又は電源切り指令発生手段により電源切り指令が入力された時にこの不揮発性メモリの記憶内容をクリアする記憶制御手段としての機能を有し、さらに、給電があったときには不揮発性メモリの記憶内容を読み出して、進行状況や運転内容についての記憶内容が残っているときには、洗濯運転を当該記憶内容に基づいて再開する停電復帰運転再開手段としての機能を有し、電源プラグと制御電源回路との間の通電路に、使用者の操作により前記通電路を閉路し且つ前記閉路後は前記閉路状態を保持し、洗濯運転が通常に終了したこと又は電源切り指令発生手段による電源切り指令が発生したことに基づいて前記通電路を開路するスイッチ装置を設けている（例えば、特許文献１参照）。
【０００３】
これにより、洗濯運転が通常に終了した時、又は電源切り指令発生手段により電源切り指令が入力された時は、不揮発性メモリの記憶内容をクリアするとともに、スイッチ装置を開路することになる。一方で停電などの意図しない状況で機器が停止した場合は、不揮発性メモリの記憶内容はクリアされず、またスイッチ装置も閉路状態のままとなるため、復電後に機器は自動的に通電され、かつ、運転の進行状況も不揮発性メモリに残っている状態となり、停電前の工程から再運転することを可能としていた。
【先行技術文献】
【特許文献】
【０００４】
【特許文献１】特開２０１０−７５３５１号公報
【発明の概要】
【発明が解決しようとする課題】
【０００５】
しかしながら、特許文献１の停電復帰時に自動的に再運転する構成では、マイクロコンピュータ暴走時に機器の電源を遮断することは難しく、マイクロコンピュータ暴走時の安全性への考慮が充分ではなかった。
【０００６】
なぜならば、特許文献１の構成では、復電時に機器に自動通電するために、停電時には通電路を維持するラッチングリレーをオンさせておく必要があるが、マイクロコンピュータが暴走した場合に、マイクロコンピュータへの給電を遮断することができず、マイクロコンピュータをリセットすることができない。
【０００７】
この場合、コイルの通電により導通状態が形成され、コイルへの通電がなくなると導通状態を解除する電源リレーに並列にラッチングリレーを配して、通常は電源リレーにより通電を行い、停電を検知したときのみラッチングリレーをオンし、通常あるいは停電から復帰したときにはランチングリレーをオフするようにすることで、マイクロコンピュータが暴走した場合でも、マイクロコンピュータへの給電を遮断することができ、マイクロコンピュータをリセットすることができる。
【０００８】
ただ、こうした構成の場合、輸送や動作中の振動など意図しない原因によりラッチング
リレーが通電状態になった場合に、洗濯運転が通常に終了した時、又は電源切り指令発生手段により電源切り指令が入力されたとしても、通電路が閉路状態となってしまう。
【０００９】
本発明は、上記従来の課題を解決するもので、マイクロコンピュータからなる制御手段を用いて制御可能にした、洗濯機、洗濯乾燥機、衣類乾燥機、食器洗い機などの洗濯機等の制御装置において、輸送時や動作中の振動やノイズなどの外部からの要因により、第２のリレーが導通状態になっていたとしても、洗濯機等への通電を遮断することを可能とし、より安全性に優れた洗濯機等を提供することを目的としている。
【課題を解決するための手段】
【００１０】
本発明は上記目的を達成するために、商用電源から電源の供給が行われ、電気機器の動作状態を逐次制御するマイクロコンピュータを有した制御手段と、商用電源と制御手段との間に設けられた通電手段とを備え、通電手段は電源入りスイッチと電源入りスイッチと並列に接続されコイルの通電により導通状態が形成され、コイルへの通電がなくなると導通状態を解除する第１のリレーと、電源入りスイッチに並列に接続されオン用コイルの通電により導通状態を形成しかつ導通以後はオン用コイルを停止しても導通状態を保持し、オフ用コイルが通電されると導通状態を解除する第２のリレーとから構成され、制御手段は、電気機器の運転が終了した場合もしくは使用者の操作により通電手段による導通状態を解除するために第１のリレーへの通電を停止すると同時または所定時間経過した後に、第２のリレーのオフ用コイルを通電するようにしたものである。
【００１１】
これにより、輸送時や動作中の振動やノイズなどの外部からの要因により、第２のリレーが導通状態になっていたとしても、電気機器への通電を遮断することを可能としたものである。
【発明の効果】
【００１２】
本発明のマイクロコンピュータからなる制御手段を用いて制御可能にした、電気機器の制御装置において、例えば輸送時もしく動作中における振動またはノイズなどの外部からの要因により、第２のリレーが導通状態になっていたとしても、電気機器への通電を遮断することを可能とし、より安全性に優れた電気機器を提供することができる。
【図面の簡単な説明】
【００１３】
【図１】本発明の実施の形態１の電気機器としての洗濯機の側断面図
【図２】同電気機器としての洗濯機のブロック回路図
【図３】同電気機器としての洗濯機の洗濯動作のフローチャート
【図４】同電気機器としての洗濯機の停電時の動作のフローチャート
【発明を実施するための形態】
【００１４】
第１の発明は、商用電源から電源の供給が行われ、電気機器の動作状態を逐次制御するマイクロコンピュータを有した制御手段と、商用電源と制御手段との間に設けられた通電手段とを備え、通電手段は電源入りスイッチと電源入りスイッチと並列に接続されコイルの通電により導通状態が形成され、コイルへの通電がなくなると導通状態を解除する第１のリレーと、電源入りスイッチに並列に接続されオン用コイルの通電により導通状態を形成しかつ導通以後は前記オン用コイルを停止しても導通状態を保持し、オフ用コイルが通電されると導通状態を解除する第２のリレーとから構成され、制御手段は、洗濯等の運転が終了した場合や使用者の操作により通電手段による導通状態を解除するために第１のリレーへの通電を停止すると同時または所定時間経過した後に、第２のリレーのオフ用コイルを通電することにより、例えば輸送時もしく動作中における振動またはノイズなどの外部からの要因により、第２のリレーが導通状態になっていたとしても、電気機器への通電を遮断することを可能とし、より安全性に優れた電気機器を提供することができる。
【００１５】
第２の発明は、上記第１の発明において、制御手段は、電気機器の運転が終了した場合もしくは使用者の操作により通電手段による導通状態を解除するために第１のリレーへの通電を停止すると同時または所定時間経過した後に、第２のリレーのオフ用コイルへの通電を複数回行うことにより、輸送時や動作中の振動やノイズなどの外部からの要因により、第２のリレーが導通状態におり、第２のリレーのオフ用コイルへの通電が何らかの原因により１回では導通状態が解除できない場合でも導通状態を解除することができ、より確実に通電手段による導通状態を解除することができる。
【００１６】
第３の発明は、上記第１または２の発明において、制御手段は、商用電源の入力に基づいて生成される信号を検知するゼロクロス検知手段と、電気機器の異常状態を報知する報知手段とを備え、電気機器の運転が終了した場合もしくは使用者の操作により通電手段による導通状態を解除するために第１のリレーへの通電を停止すると同時または所定時間経過した後に、第２のリレーのオフ用コイルを通電してもゼロクロス検知手段がゼロクロスを検出した場合に、報知手段により報知することにより、通電手段に異常があることを使用者に知らせることができ、サービス性を向上することができる。
【００１７】
以下、本発明の実施の形態について、図面を参照しながら説明する。なお、この実施の形態によって本発明が限定されるものではない。本実施の形態１において、電気機器は洗濯機１００である。なお、電気機器としては、例えば、衣類乾燥機、食器洗い機等も想定できる。
【００１８】
（実施の形態１）
図１は本発明の実施の形態における電気機器としての洗濯機の側断面図、図２は同電気機器としての洗濯機のブロック回路図、図３は同電気機器としての洗濯機の洗濯動作のフローチャート、図４は同電気機器としての洗濯機の停電時の動作のフローチャートである。
【００１９】
図１および図２において、洗濯機１００は、筐体１１０と、筐体１１０内で衣類を収容する収容槽２００と、を備える。収容槽２００は、回転軸ＲＸを取り囲む略円筒形状の周壁２１１を有する回転ドラム２１０と、回転ドラム２１０を収容する水槽２２０と、を含む。
【００２０】
筐体１１０は、収容槽２００へ衣類を投入するための投入口が形成された前壁１１１と、前壁１１１とは反対側の後壁１１２と、を備える。回転ドラム２１０及び水槽２２０は、前壁１１１に向けて開口する。
【００２１】
洗濯機１００は、前壁１１１に取り付けられた扉体１２０を更に備える。扉体１２０は、前壁１１１に形成された投入口を閉塞する閉位置と投入口を開放する開位置との間で回動する。使用者は、扉体１２０を開位置に回動させ、前壁１１１の投入口を通じて、衣類を収容槽２００へ投入することができる。その後、使用者は、扉体１２０を閉位置に移動させ、洗濯機１００に衣類を洗濯させることができる。尚、図１に示される扉体１２０は、閉位置に存する。
【００２２】
回転ドラム２１０は、前壁１１１と後壁１１２との間で延びる回転軸ＲＸ周りに回転する。収容槽２００に投入された衣類は、回転ドラム２１０の回転に伴って回転ドラム２１０内を移動し、洗い、すすぎ及び／又は脱水といった様々な処理を受ける。
【００２３】
回転ドラム２１０は、閉位置にある扉体１２０に対向する底壁２１２を含む。水槽２２０は、回転ドラム２１０の底壁２１２及び周壁２１１の一部を取り囲む底部２２１と、底
部２２１と扉体１２０との間で、回転ドラム２１０の周壁２１１の他の部分を取り囲む前部２２２と、を備える。
【００２４】
収容槽２００は、回転ドラム２１０の底壁２１２に取り付けられた回転シャフト２３０を含む。回転シャフト２３０は、回転軸ＲＸに沿って、後壁１１２に向けて延びる。回転シャフト２３０は、水槽２２０の底部２２１を貫通し、水槽２２０と後壁１１２との間に現れる。
【００２５】
洗濯機１００は、水槽２２０の下方に据え付けられたモータ２３１と、水槽２２０の外に露出した回転シャフト２３０に取り付けられたプーリ２３２と、モータ２３１の動力をプーリ２３２に伝達するためのベルト２３３と、を更に備える。モータ２３１が作動すると、モータ２３１の動力は、ベルト２３３、プーリ２３２及び回転シャフト２３０に伝達される。この結果、回転ドラム２１０は、水槽２２０内で回転する。
【００２６】
洗濯機１００は、水槽２２０の前部２２２と扉体１２０との間に配設されたパッキン構造１３０を更に備える。閉位置に回動された扉体１２０は、パッキン構造１３０を圧縮する。この結果、パッキン構造１３０は、扉体１２０と前部２２２との間で水密シール構造を形成する。
【００２７】
筐体１１０は、前壁１１１と後壁１１２との間で略水平に延びる筐体天壁１１３と、筐体天壁１１３とは反対側の筐体底壁１１４と、を含む。洗濯機１００は、蛇口（図示せず）に接続される給水口１４０と、給水口１４０を介して導入された水を分配するための分配部１４１と、を更に備える。給水口１４０は、筐体天壁１１３上に現れる。分配部１４１は、筐体天壁１１３と収容槽２００との間に配設される。
【００２８】
制御装置８０は、モータ２３１や給水弁１４０などを制御するもので、図２に示すように構成している。商用電源８８からの電流を整流ダイオード５４とコンデンサ５５により直流整流平滑を行い、コンデンサ５５により第１の直流電源を構成している。
【００２９】
第２の直流電源５７は、第１の直流電源から生成され、制御手段８７や負荷駆動手段８６を駆動するための直流電源を形成する。
【００３０】
制御手段８７は、マイクロコンピュータなどで構成し、通電手段５０を介して電力が供給されることで動作し、双方向サイリスタ、リレーなどで構成した負荷駆動手段８６を介して、モータ２３１、給水弁１４０、排水ポンプ７４、ヒータ１６０などを制御し、洗い、すすぎ、脱水の一連の行程を逐次制御する。
【００３１】
制御手段８７や負荷駆動手段８６は、第２の直流電源５７により動作している。従って、商用電源８８の電圧が低下するなどして、第１の直流電源５５の電圧が所定値以下になると、第２の直流電源５７の出力電圧は、制御手段８７および負荷駆動手段８６を動作させることが不可能となる。
【００３２】
通電手段５０は、押圧で接点がオンし、押圧を解くと接点がオフする電源スイッチ５２と、コイルの通電により接点が閉じ導通状態となり、コイルへの通電がなくなると接点が開き、通電が遮断される第１のリレー５１（以下電源リレー）と、オン用コイルの通電により接点が閉じ導通状態となり、かつ接点が閉じた以後は前記オン用コイルへの通電がなくなっても機械的に接点が閉じた状態を保持し、オフ用コイルが通電されると接点が閉じた状態を解除し、通電が遮断する第２のリレー５３（以下ラッチングリレー）とが並列に配されて構成されおり、制御手段８７は電源スイッチ５２をオンすることにより通電され、制御手段８７が起動し、制御手段８７が起動した後は、電源リレー５１を通電すること
で、使用者が電源スイッチ５２をオフしても導通状態を保持することができる。
【００３３】
電源電圧検知手段５６は、コンデンサ５５の直流電圧を抵抗で分圧し、その電圧情報を制御手段８７に送っている。本実施の形態では、第２の直流電源５７で動作する制御手段８７で利用可能なように第１の直流電源５５の電圧を分圧して、第２の直流電源５７の電圧以下の電圧にしてその出力を制御手段８７に送り込んでいる。
【００３４】
ゼロクロス検知手段３２１は、商用電源８８の両端の交流電流が入力され、交流電圧がゼロクロス点を通過し極性が変わるタイミングでＨ信号からＬ信号に、もしくはＬ信号からＨ信号に切り替わる矩形波信号をゼロクロス信号として制御手段８７に出力する。これにより制御手段８７はゼロクロス検知手段３２１からの信号が入ってこなくなった場合、停電が発生したと検知することができる。
【００３５】
記憶手段４２６は、ＥＥＰＲＯＭなどにより構成され、一連の制御に必要なデータなどを記憶している。水位検知手段９０は、水槽２２０内の水位を検知し、制御手段８７に入力している。
【００３６】
操作表示部８５は、入力手段８３と表示手段８４から構成され、入力手段８３は、使用者が必要な設定コース、動作のスタートなどを入力するもので、使用者の操作により電源切りスイッチ（図示せず）が押された場合に制御手段８７は、通電手段５０による通電状態を解除し、電源をオフすることができる。
【００３７】
表示手段８４は、入力手段８３による設定内容、動作状態、または洗濯動作、洗濯機各部の異常状態などを表示する。報知手段７８は、圧電ブザー等により構成し、制御手段８７の出力により報知動作を行う。
【００３８】
ヒータ１６０は、水槽２２０内の洗濯水を加熱し、給水弁１４０は水槽２２０内に給水し、排水ポンプ７４は水槽２２０内の洗濯水を排水するものである。
【００３９】
制御手段８７は、洗い行程では、洗い開始時に回転ドラム２１０内の洗濯物の量を検知した後、給水弁１４０を制御して回転ドラム２１０内に給水し、ヒータ１６０により、水槽２２０内の洗濯水を加熱しながら、回転ドラム２１０をモータ２３１によって低速で回転駆動して洗い、洗いが終了すると、排水ポンプ７４を駆動し、「すすぎ」に入り、「洗い」と同様の動作を行うためにすすぎと中間脱水との組合せを複数回行う。中間脱水では、回転ドラム２１０を高速で回転駆動し、洗濯物を遠心脱水する。「すすぎ」の後の「脱水」でも、中間脱水同様に、回転ドラム２１０を高速で回転駆動し、洗濯物を遠心脱水するようにしている。
【００４０】
上記構成において、図３ならびに図４のフローチャートを参照しながら動作を説明する。
【００４１】
使用者が電源スイッチ５２をオンすることにより電源スイッチ５２を介して、または後述する停電からの復帰した場合は、ラッチングリレー５３を介して電力が供給されると制御手段８７が起動する（Ｓ１００）。
【００４２】
制御手段８７が起動すると、Ｓ１０１にて電源リレー５１をオンし、使用者が電源スイッチ５２から手を離しても制御手段８７に電力を供給することができる。
【００４３】
Ｓ１０２にてラッチングリレー５３のオフ用コイル（図示せず）をオン（例えば５０ｍｓ）する。このとき停電復帰から起動した場合は、ラッチングリレー５３がオフされる。
【００４４】
Ｓ１０３にてＥＥＰＲＯＭ等の記憶手段４２６を読み込み、Ｓ１０４にて動作状態が記憶されていない場合は、停電復帰ではなく、使用者により電源が投入されたと判断し、初期待機状態としてスタートスイッチがオンされるまで待機する。
【００４５】
入力手段８３内にあるスタートスイッチがオンされると（Ｓ１０６）、給水弁１４０やモータ２３１等の各負荷を制御し、洗い動作（Ｓ１０７）、すすぎ動作（Ｓ１０８）、脱水動作（Ｓ１０９）を行う。ここで各動作中や終了時に動作の進行状況を記憶手段４２６に逐次書き込む（図示せず）。
【００４６】
Ｓ１０４にて記憶手段４２６に動作状態が記憶されている場合は、停電からの復帰であると判断し、記憶されていた動作状態に基づき洗濯運転を再開する（Ｓ１０５）。
【００４７】
Ｓ１０７からＳ１０９の間に、停電が起こりゼロクロス信号を検知電気なくなると、図４に示す停電処理を行う。
【００４８】
停電が発生すると（Ｓ２００）、Ｓ２０１にてゼロクロス信号が入力されないため、Ｓ２０２にて給水弁１４０やモータ２３１等の各負荷をオフし、次にＳ２０３にてラッチングリレー５３のオン用コイル（図示せず）をオンし、ラッチングリレー５３がオンされる。
【００４９】
Ｓ２０２にて各負荷をオフすることにより、コンデンサ５５の残留電荷の消費を抑えることができ、制御手段８７のプログラム動作や、ラッチングリレー５３のオン動作をする時間をより確保することができる。
【００５０】
制御装置８０内の電力が残っており、制御手段８７が動作可能な場合、Ｓ２０１に戻り、再度ゼロクロス信号の検知を行う。Ｓ２０４にて制御手段８７が停止した場合、機器全体が停止状態となる（Ｓ２０５）。制御手段８７停止後に、停電が復帰した場合は、ラッチングリレー５３を介して制御手段８７に電源が供給されるようになるため、図３に示すＳ１００から再度動作を行う。
【００５１】
制御手段８７が動作可能な状態で停電復帰し、Ｓ２０１にてゼロクロス信号を再度検知した場合は、Ｓ２０６においてラッチングリレー５３のオフ用コイルをオンし、ラッチングリレー５３の導通状態を解除し、通常動作に復帰する（Ｓ２０７）。ここで通常動作とは、図３のＳ１０７からＳ１０９に示す一連の洗濯動作のことを指す。
【００５２】
図３に戻り、脱水動作（Ｓ１０９）が終了すると、Ｓ１０７からＳ１０９の間に記憶手段４２６に記憶した動作状態をクリアし（Ｓ１１０）、圧電ブザー７８を吹鳴し、一連の洗濯動作が終了したことを報知する（Ｓ１１１）。
【００５３】
Ｓ１１１にて終了報知が完了後、電源リレー５１をオフし（Ｓ１１２）、通電路を遮断する。ここで通常であれば、制御装置８０内の電力が消費されると回路構成にもよるが数秒程度で制御手段８７が停止し、機器全体が停止状態となる（Ｓ１１８）。
【００５４】
もし、Ｓ１１２にて電源リレー５１をオフした後、所定時間１が経過（Ｓ１１３）してもゼロクロスを検知している場合（Ｓ１１４）、ラッチングリレー５３のオフ用コイルを制御する。ここで所定時間１は通電路が遮断されてから制御装置８０内の電力が消費される時間を超えるに十分な時間とする。また、ラッチングリレー５３のオフ用コイルの制御はパルス駆動とし、オン時間はラッチングリレー５３の接点が解除されるのに十分な時間とし、オフ時間はオフ用コイルへの通電が十分に停止する時間とする。ただし、Ｓ１１３
において所定時間１をゼロとし、Ｓ１１２の電源リレー５１のオフと同時にラッチングリレー５３のオフ用コイルの制御を行ってもよい。
【００５５】
所定時間１経過から所定時間２を経過してもゼロクロスが検知された場合（Ｓ１１６）、通電手段５０が故障していると判断し、圧電ブザー７８により異常状態であることを報知する（Ｓ１１７）。ここで所定時間２はＳ１１３の所定時間１と同様に通電路が遮断されてから制御装置８０内の電力が消費される時間を超えるに十分な時間とし、かつＳ１１５によるラッチングリレー５３のオフ用コイルの制御を複数回行うのに十分な時間とする。ここで、外部からの要因により制御手段８７が意図せずにラッチングリレー５３がオンされ、かつＳ１１５にてラッチングリレー５３がオフされた場合には、制御手段８７が停止し、機器全体が停止状態となる（図示せず）。
【００５６】
以上により、本実施の形態において、制御手段８７は、洗濯等の運転が終了した場合や使用者の操作により通電手段５０による導通状態を解除するために第１のリレー５１への通電を停止すると同時または所定時間経過した後に、第２のリレー５３のオフ用コイルを通電することにより、輸送時や動作中の振動やノイズなどの外部からの要因により、第２のリレー５３が導通状態になっていたとしても、洗濯機等への通電を遮断することを可能とし、より安全性に優れた洗濯機等を提供することができる。
【００５７】
また、制御手段８７は、洗濯等の運転が終了した場合や使用者の操作により通電手段５０による導通状態を解除するために第１のリレー５１への通電を停止すると同時または所定時間経過した後に、第２のリレー５３のオフ用コイルへの通電を複数回行うことにより、輸送時や動作中の振動やノイズなどの外部からの要因により、第２のリレー５３が導通状態におり、第２のリレーのオフ用コイルへの通電が何らかの原因により１回では導通状態が解除できない場合でも導通状態を解除することができ、より確実に通電手段５０による導通状態を解除することができる。
【００５８】
また、制御手段８７は、洗濯等の運転が終了した場合や使用者の操作により通電手段５０による導通状態を解除するために第１のリレー５１への通電を停止すると同時または所定時間経過した後に、第２のリレー５３のオフ用コイルを通電してもゼロクロス検知手段３２１がゼロクロスを検出した場合に、報知手段７８により報知することにより、通電手段５０に異常があることを使用者に知らせることができ、サービス性を向上することができる。
【産業上の利用可能性】
【００５９】
以上のように、本発明にかかるマイクロコンピュータからなる制御手段を用いて制御を可能にした、電気機器の制御装置において、意図せずに第２のリレーが導通状態になっていたとしても、電気機器への通電を遮断することが可能となるので、電気機器として有用である。
【符号の説明】
【００６０】
５０  通電手段
５１  電源リレー（第１のリレー）
５２  電源スイッチ
５３  ラッチングリレー（第２のリレー）
５５  コンデンサ（第１の直流電源）
５６  電源電圧検知手段
５７  第２の直流電源
７８  圧電ブザー（報知手段）
８３  入力手段
８０  制御装置
８７  制御手段
８８  商用電源
３２１  ゼロクロス検知手段
４２６  記憶手段
【図１】
2015023900.tif 000003
【図２】
2015023900.tif 000004
【図３】
2015023900.tif 000005
【図４】
2015023900.tif 000006